(57)【要約】【課題】蓋体を良好に閉じることができる家庭用薄葉紙収納容器を実現する。【解決手段】上面に取出口１１を有し、内側に家庭用薄葉紙Ｐを収納するケース体（容器本体１０とシャーシ３０）と、ケース体に対してスライド移動することで取出口１１を開閉させる上蓋２０と、上蓋２０が閉蓋する際に上蓋２０とは逆方向にスライド移動して、取出口１１の上を横切るスライド部材６０と、を備えている家庭用薄葉紙収納容器１であれば、上蓋２０を開放状態時の位置から閉蓋状態時の位置にスライド移動させると、スライド部材６０は取出口１１の上を上蓋２０とは逆方向にスライド移動し、スライド部材６０が取出口１１の上を横切る際に家庭用薄葉紙Ｐと接触すると、家庭用薄葉紙Ｐの上端を取出口１１側に引き倒すことができるので、上蓋２０とケース体の間に家庭用薄葉紙Ｐを噛み込んでしまうことはなく、上蓋２０を閉じることができる。【選択図】図１
2015067314.tif 000002
【特許請求の範囲】
【請求項１】
上面に取出口を有し、内側に家庭用薄葉紙を収納するケース体と、
前記ケース体に対してスライド移動することで前記取出口を開閉させる蓋体と、
前記ケース体と前記蓋体との間に配され、前記蓋体が閉蓋する際に前記蓋体とは逆方向にスライド移動して、前記取出口の上を横切るスライド部材と、
を備えたことを特徴とする家庭用薄葉紙収納容器。
【請求項２】
前記スライド部材は、紐状の牽引部材に取り付けられており、
前記牽引部材の一端側は、前記蓋体が閉蓋する際の移動方向前方の前記ケース体に設けられた第１掛架部で折り返した後、前記蓋体に固定され、
前記牽引部材の他端側は、前記蓋体が閉蓋する際の移動方向後方の前記ケース体に設けられた第２掛架部で折り返した後、前記蓋体に固定されていることを特徴とする請求項１に記載の家庭用薄葉紙収納容器。
【請求項３】
前記取出口の周縁にはケース側パッキンが装着され、前記蓋体の下面には蓋側パッキンが取り付けられており、
前記蓋体が閉蓋状態となった際に前記ケース側パッキンと前記蓋側パッキンとが密着している境界面は、前記蓋体が閉蓋する際の移動方向の前方に向かって上がる傾斜を有することを特徴とする請求項１又は２に記載の家庭用薄葉紙収納容器。
【請求項４】
前記蓋体を開放状態となる方向に付勢する付勢部材を有し、当該蓋体を開放状態となる方向にスライド移動させる可動機構と、
前記付勢部材の付勢力に抗して前記蓋体が閉塞状態となるように係止するとともに、当該係止を解除可能な係止手段と、
を備えたことを特徴とする請求項１〜３の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
このような家庭用薄葉紙収納容器においては、家庭用薄葉紙を収納するためのケース体の上面に、その開放端を上下方向に回動させることで開閉を行う蓋体を設けた構成が一般的である。しかしながら、この構成の場合、蓋体を開くと当該蓋体が起立した状態になるため、蓋体を開ける際に高さが必要となり、狭いスペースでは使いづらいという問題があった。また、この構成の場合、蓋体を開くと当該蓋体が起立した状態になるため、蓋体が邪魔になって蓋体の後ろ側からは家庭用薄葉紙が取り出しづらいという問題があった。
これに対し、スライド移動することで開閉を行う蓋体を設けた構成（例えば、特許文献１，２参照）とすれば、蓋体が開いても蓋体が起立した状態にならないため、狭いスペースでも使いやすく、蓋体が邪魔にならず家庭用薄葉紙を全方向から取り出すことができる。
【先行技術文献】
【特許文献】
【０００３】
【特許文献１】特開平９−１０４４８４号公報
【特許文献２】特開２００５−１２６１１５号公報
【発明の概要】
【発明が解決しようとする課題】
【０００４】
しかしながら、上記特許文献１，２の構成では、次の家庭用薄葉紙を取り出しやすくするように容器開口から引き出されている家庭用薄葉紙の上端が出過ぎている場合、蓋体を閉じる際に家庭用薄葉紙を蓋体と容器の間に噛み込んでしまうことがある。
閉蓋時に蓋体と容器の間に家庭用薄葉紙を噛み込んでしまうと、蓋体を所定の閉蓋状態の位置まで閉じることができず容器内の気密性が損なわれるので、ウェットタイプの家庭用薄葉紙が乾燥するなどの不具合が生じることがあった。
【０００５】
本発明の目的は、蓋体を良好に閉じることができる家庭用薄葉紙収納容器を提供することである。
【課題を解決するための手段】
【０００６】
以上の課題を解決するため、請求項１に記載の発明は、家庭用薄葉紙収納容器であって、
上面に取出口を有し、内側に家庭用薄葉紙を収納するケース体と、
前記ケース体に対してスライド移動することで前記取出口を開閉させる蓋体と、
前記ケース体と前記蓋体との間に配され、前記蓋体が閉蓋する際に前記蓋体とは逆方向にスライド移動して、前記取出口の上を横切るスライド部材と、
を備えたことを特徴とする。
【０００７】
請求項２に記載の発明は、請求項１に記載の家庭用薄葉紙収納容器において、
前記スライド部材は、紐状の牽引部材に取り付けられており、
前記牽引部材の一端側は、前記蓋体が閉蓋する際の移動方向前方の前記ケース体に設けられた第１掛架部で折り返した後、前記蓋体に固定され、
前記牽引部材の他端側は、前記蓋体が閉蓋する際の移動方向後方の前記ケース体に設けられた第２掛架部で折り返した後、前記蓋体に固定されていることを特徴とする。
【０００８】
請求項３に記載の発明は、請求項１又は２に記載の家庭用薄葉紙収納容器において、
前記取出口の周縁にはケース側パッキンが装着され、前記蓋体の下面には蓋側パッキンが取り付けられており、
前記蓋体が閉蓋状態となった際に前記ケース側パッキンと前記蓋側パッキンとが密着している境界面は、前記蓋体が閉蓋する際の移動方向の前方に向かって上がる傾斜を有することを特徴とする。
【０００９】
請求項４に記載の発明は、請求項１〜３の何れか一項に記載の家庭用薄葉紙収納容器において、
前記蓋体を開放状態となる方向に付勢する付勢部材を有し、当該蓋体を開放状態となる方向にスライド移動させる可動機構と、
前記付勢部材の付勢力に抗して前記蓋体が閉塞状態となるように係止するとともに、当該係止を解除可能な係止手段と、
を備えたことを特徴とする。
【発明の効果】
【００１０】
本発明によれば、蓋体を閉蓋状態の位置にスライド移動させると、スライド部材は取出口の上を横切るように蓋体とは逆方向にスライド移動するので、このスライド部材が取出口の上を横切る際、取出口よりも上方に突出して引き出されている家庭用薄葉紙と接触すると、その家庭用薄葉紙の上端を取出口側に引き倒すことができる。
したがって、蓋体とケース体の間に家庭用薄葉紙を噛み込むことはなく、蓋体を良好に閉じることができる。
【図面の簡単な説明】
【００１１】
【図１】本発明の実施形態に係る家庭用薄葉紙収納容器において、（ａ）は上蓋を閉めた状態を示す斜視図、（ｂ）は上蓋を開けた状態を示す斜視図である。
【図２】本発明の実施形態に係る家庭用薄葉紙収納容器において、上蓋を閉めた状態を示す平面図である。
【図３】本発明の実施形態に係る家庭用薄葉紙収納容器において、上蓋を開けた状態を示す平面図である。
【図４】図２の家庭用薄葉紙収納容器のIV−IV線における断面図である。
【図５】図３の家庭用薄葉紙収納容器のV−V線における断面図である。
【図６】容器本体を示す平面図である。
【図７】シャーシ及び付勢部材を示す平面図である。
【図８】上蓋を示す平面図である。
【図９】本発明の実施形態に係る家庭用薄葉紙収納容器の製造方法を説明するための図である。
【発明を実施するための形態】
【００１２】
以下、本発明の実施の形態を図面に基づいて説明する。ただし、発明の範囲は、図示例に限定されない。
【００１３】
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００１４】
本実施形態に係る家庭用薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、家庭用薄葉紙収納容器１には、ティシューペーパーやキッチンペーパーやペーパータオル等のドライタイプの家庭用薄葉紙Ｐを収納しても良い。
具体的には、家庭用薄葉紙収納容器１は、例えば、図１（ａ），（ｂ）、図２から図５に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、上蓋２０が開閉する際の移動方向とは逆方向にスライド移動して取出口１１の上を横切るスライド部材６０等を備えて構成される。
【００１５】
容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。また、スライド部材６０は、薄い平板状の部材であり、上蓋２０とシャーシ３０（ケース体）の間に配されている。
容器本体１０、上蓋２０、シャーシ３０、底蓋４０及びスライド部材６０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
【００１６】
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。家庭用薄葉紙収納容器１に収納する家庭用薄葉紙Ｐが、ウェットタイプの家庭用薄葉紙Ｐである場合は特に、金属製の付勢部材５０を用いると、家庭用薄葉紙Ｐから蒸発した薬液によって付勢部材が錆びる可能性が高くなるので、高分子材料からなる付勢部材５０を用いることが好ましい。
【００１７】
ここで、上蓋２０は、左右方向（容器本体１０の平面視長手方向）にスライド移動することで開閉を行う。すなわち、上蓋２０は、閉塞状態時の位置から左右方向の一方（本実施形態の場合、左方向）にスライド移動することで開放状態となり、開放状態時の位置から左右方向の他方（本実施形態の場合、右方向）にスライド移動することで閉塞状態となる。
そして、上蓋２０が左右方向の一方（本実施形態の場合、左方向）にスライド移動して開蓋する際、スライド部材６０は左右方向の他方（本実施形態の場合、右方向）にスライド移動し、上蓋２０が左右方向の他方（本実施形態の場合、右方向）にスライド移動して閉蓋する際、スライド部材６０は左右方向の一方（本実施形態の場合、左方向）にスライド移動するようになっている。
【００１８】
具体的に、スライド部材６０は、細い紐状の牽引部材７０に取り付けられている。
牽引部材７０は取出口１１を前後方向に挟んだ両側に配設されており、スライド部材６０の両端部がそれぞれ牽引部材７０に取り付けられている。スライド部材６０の各端部は牽引部材７０の長手方向中央側に取り付けられている。
牽引部材７０の一端側は、上蓋２０が閉蓋する際の移動方向（ここでは右方向）の前方のシャーシ３０（ケース体）に設けられた第１掛架部３７（後述）に掛架されて折り返した後、その牽引部材７０の一端部７１が上蓋２０に固定されている。なお、本実施形態の場合、シャーシ３０の側面に形成されている貫通孔（図示省略）に挿通させた牽引部材７０を第１掛架部３７（後述）に掛架している。
また、牽引部材７０の他端側は、上蓋２０が閉蓋する際の移動方向（ここでは右方向）の後方のシャーシ３０（ケース体）に設けられた第２掛架部３８（後述）に掛架されて折り返した後、その牽引部材７０の他端部７２が上蓋２０に固定されている。
つまり、図２および図４、図３および図５に示すように、上蓋２０が左右方向の一方（本実施形態の場合、左方向）にスライド移動して開蓋する際、上蓋２０が牽引部材７０の一端部７１を左右方向の一方（左方向）に引いて第１掛架部３７（後述）から離間させることで、相対的に第１掛架部３７（後述）に向かって引かれる牽引部材７０とともに、スライド部材６０が左右方向の他方（右方向）にスライド移動するようになっている。
同様に、上蓋２０が左右方向の他方（本実施形態の場合、右方向）にスライド移動して閉蓋する際、上蓋２０が牽引部材７０の他端部７２を左右方向の他方（右方向）に引いて第２掛架部３８（後述）から離間させることで、相対的に第２掛架部３８（後述）に向かって引かれる牽引部材７０とともに、スライド部材６０が左右方向の一方（左方向）にスライド移動するようになっている。
なお、牽引部材７０の一端部７１が固定されている上蓋２０の第１固定穴２４１（後述）と、牽引部材７０の他端部７２が固定されている上蓋２０の第２固定穴２４２（後述）とは、左右方向に沿い第１掛架部３７（後述）と第２掛架部３８（後述）との間に位置する上蓋２０部分（後述する垂壁部２４ｂ）に設けられている。
【００１９】
牽引部材７０は、折曲可能な細い紐状の部材であればよく、例えば、金属材料からなるワイヤーであっても、高分子材料からなるワイヤーであってもよい。家庭用薄葉紙収納容器１に収納する家庭用薄葉紙Ｐが、ウェットタイプの家庭用薄葉紙Ｐである場合は特に、金属製の牽引部材７０を用いると、家庭用薄葉紙Ｐから蒸発した薬液によって牽引部材が錆びる可能性が高くなるので、高分子材料からなる牽引部材７０を用いることが好ましい。
【００２０】
このスライド部材６０の機能について説明する。
図３、図５に示すように、上蓋２０が左右方向の一方（本実施形態の場合、左方向）にスライド移動して開蓋した状態（開放状態）では、スライド部材６０は、ケース側パッキン１４（後述）の上方であって、取出口１１の右端側に位置している。
また、図２、図４に示すように、上蓋２０が左右方向の他方（本実施形態の場合、右方向）にスライド移動して閉蓋した状態（閉蓋状態）では、スライド部材６０は、ケース側パッキン１４（後述）よりも左方に位置している。このときスライド部材６０は、ケース側パッキン１４（後述）と蓋側パッキン２１（後述）に挟まれない位置にあり、ケース側パッキン１４（後述）と蓋側パッキン２１（後述）とは互いに密着している。
【００２１】
そして、上蓋２０を開放状態時の位置から閉蓋状態時の位置にスライド移動させると、スライド部材６０は取出口１１の上を横切るように、上蓋２０とは逆方向にスライド移動して、ケース側パッキン１４（後述）と蓋側パッキン２１（後述）の間を通過する。
このスライド部材６０が取出口１１の上を右から左へと横切る際、取出口１１よりも上方に突出して引き出されている家庭用薄葉紙Ｐと接触すると、スライド部材６０は家庭用薄葉紙Ｐの上端を取出口１１側に引き倒すようになっている。
つまり、上蓋２０を閉蓋する際、上蓋２０と連動してスライド移動するスライド部材６０によって、家庭用薄葉紙Ｐの上端を取出口１１側に引き付けるように倒し込むことができる。
例えば、取出口１１から上方に引き出された家庭用薄葉紙Ｐの上端が、上蓋２０の上面よりも上に達していることがあっても、上蓋２０を閉蓋する際にスライド部材６０によって家庭用薄葉紙Ｐの上端を取出口１１側に引き付けて上蓋２０の下面側に倒し込むことができるので、家庭用薄葉紙Ｐを上蓋２０とシャーシ３０の間に噛み込んでしまうことはない。
このスライド部材６０が家庭用薄葉紙Ｐの上端を引き倒す作用によって、上蓋２０とシャーシ３０（ケース体）の間に家庭用薄葉紙Ｐを噛み込むことなく、上蓋２０を所定の閉蓋状態の位置までスライド移動させることができ、ケース側パッキン１４（後述）と蓋側パッキン２１（後述）とが互いに密着するように、上蓋２０を良好に閉じることができる。
【００２２】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出される、いわゆるポップアップ方式となっている。
なお、薄葉紙積層体Ｑは、本実施形態のように家庭用薄葉紙Ｐを取り出すための開口Ｔ１が設けられた包装体Ｔによって内包されていても良いし、包装体Ｔによって内包されていなくても良い。特に、家庭用薄葉紙収納容器１に収納する家庭用薄葉紙Ｐが、本実施形態のようにウェットタイプの家庭用薄葉紙Ｐである場合には、薄葉紙積層体Ｑを防湿性の包装体Ｔによって内包することが好ましい。
【００２３】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２４】
容器本体１０の上面部１０ａには、例えば、図４、図５に示すように、下側に向けて陥没する凹部１３が設けられており、この凹部１３の底面部１３ａに取出口１１が形成されている。なお、本実施形態では、底面部１３ａのうち左右方向（容器本体１０の平面視長手方向）中央よりも一側（本実施形態の場合、右側）にずれた位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３、図５参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２、図４参照）となった場合に閉塞されるようになっている。
【００２５】
例えば、図４、図５に示すように、取出口１１の周縁には、シリコンゴム等のゴムやオレフィン系エラストマー等の熱可塑性エラストマーなどの弾性体から形成されたケース側パッキン１４が装着されている。
また、上蓋２０の下面にも、シリコンゴム等のゴムやオレフィン系エラストマー等の熱可塑性エラストマーなどの弾性体から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。なお、上蓋２０が閉塞状態となった際にケース側パッキン１４と蓋側パッキン２１とが密着している境界面は、上蓋２０が閉蓋する際の移動方向の前方に向かって上がる傾斜を有している。
このケース側パッキン１４と蓋側パッキン２１によって容器内の気密性が保持されることにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。また、ケース側パッキン１４及び蓋側パッキン２１は、家庭用薄葉紙収納容器１に収納する家庭用薄葉紙Ｐがウェットタイプである場合は特に、薬液耐性のある材料で形成されることが好ましい。
特に、ケース側パッキン１４と蓋側パッキン２１とが密着する際の境界面が、上蓋２０が閉蓋する際の移動方向の前方に向かって上がる傾斜を有していることによって、上蓋２０が閉塞状態時の位置に達するまでケース側パッキン１４と蓋側パッキン２１とは離間しているので、上蓋２０のスライド移動と連動してスライド部材６０が取出口１１の上を横切る際、スライド部材６０はケース側パッキン１４と蓋側パッキン２１の間を通過することが可能になっている。
また、ケース側パッキン１４と蓋側パッキン２１とが密着する際の境界面が、上蓋２０が閉蓋する際の移動方向の前方に向かって上がる傾斜を有していることによって、上蓋２０が閉塞状態時の位置から開蓋する方向に僅かでもスライド移動すると、ケース側パッキン１４と蓋側パッキン２１との間に間隙が生じるので、上蓋２０と連動してスライド移動するスライド部材６０がケース側パッキン１４と蓋側パッキン２１の間を通過することが可能になっている。
【００２６】
また、ケース側パッキン１４には、例えば、図６に示すように、当該ケース側パッキン１４の下端部から内側に向けて（取出口１１を塞ぐ方向側に向けて）延出する舌片部１４ａが設けられており、舌片部１４ａに摺接して家庭用薄葉紙Ｐが引き出されるように構成されている。これにより、家庭用薄葉紙Ｐを一枚ずつ引き出しやすくなっている。
なお、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。
【００２７】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図７に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００２８】
シャーシ３０の枠部３１（具体的には、枠部３１の連結部３１ｃ（後述））の上面には、例えば、図２、図７に示すように、第２掛架部３８が設けられている。また、シャーシ３０の上壁部３２の内側には、例えば、図２、図７に示すように、第１掛架部３７が設けられている。
この第１掛架部３７と第２掛架部３８は、例えば、上下方向に延設された軸部であり、牽引部材７０を折り返して掛架するために設けられている。
前述したように、第１掛架部３７には、牽引部材７０の一端側が折り返した状態で掛架され、第２掛架部３８には、牽引部材７０の他端側が折り返した状態で掛架されるようになっている。
なお、本実施形態では、牽引部材７０を掛架するための第１掛架部３７および第２掛架部３８をシャーシ３０に設けたが、これに限ることはなく、第１掛架部３７および第２掛架部３８は、容器本体１０に設けても良い。
【００２９】
また、シャーシ３０の枠部３１（具体的には、枠部３１の連結部３１ｃ（後述））の上面には、例えば、図２、図３、図７に示すように、付勢部材５０の一端と係合する固定側係合部３３が設けられている。
また、上蓋２０の下面のうち前後方向略中央の位置には、例えば、図２、図３、図８に示すように、付勢部材５０の他端と係合する可動側係合部２２が設けられている。
ここで、例えば、図７に示すように、本実施形態において、家庭用薄葉紙収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００３０】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
【００３１】
また、例えば、図４、図５に示すように、本実施形態において、可動側係合部２２は、固定側係合部３３よりも上側に配置されている。そのため、付勢部材５０は、ケース体（容器本体１０やシャーシ３０）の高さ方向に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体（本実施形態の場合、容器本体１０）に押し付ける方向）にも付勢するので、気密手段（本実施形態の場合、ケース側パッキン１４及び蓋側パッキン２１）によって取出口１１の周縁と上蓋２０との隙間がしっかりと封止されることとなって、収納空間部Ｓの気密性が向上する。
従来、家庭用薄葉紙を収納するためのケース体の上面に、その開放端を上下方向に回動させることで開閉を行う蓋体を設けた家庭用薄葉紙収納容器として、蓋体の開放動作を行いやすくするために、蓋体を開く方向に付勢する付勢部材（エラストマー等により形成されたヒンジ、ねじりコイルバネなど）を備えたものが知られている。このような家庭用薄葉紙収納容器において、付勢部材は、蓋体を開放状態となる方向に付勢、すなわち、蓋体を閉塞状態とは反対方向に付勢しているので、気密性を持たせることが困難であった。これに対し、本実施形態では、左右方向にスライド移動することで開閉を行う蓋体（上蓋２０）を設け、可動側係合部２２を固定側係合部３３よりも上側に配置して付勢部材５０をケース体の高さ方向に対して斜めに設置することで、蓋体（上蓋２０）を開放状態となる方向だけでなく、ケース体に押し付ける方向にも付勢するように構成したので、収納空間部Ｓの気密性が向上する。これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を確実に防止できるようになっている。
【００３２】
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００３３】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、家庭用薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、家庭用薄葉紙収納容器１の美観が向上するとともに、付勢部材５０、シャーシ３０の固定側係合部３３及び上蓋２０の可動側係合部２２が触られることを防止できるようになっている。
【００３４】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３５】
例えば、図４、図５に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００３６】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３７】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
また、本実施形態では、操作面３４ａ（スイッチ部３４の上面）を略平面としたが、これに限ることはなく、例えば、操作性を向上させるために、操作面３４ａの上蓋２０側の部分に、上蓋２０に近づくにつれて徐々に突出高さが高くなるふくらみ部を形成することも可能である。この場合、上蓋２０の閉塞状態において、操作面３４ａのふくらみ部が可動側指掛部２５や不動側指掛部３５よりも上側に突出していると、例えば家庭用薄葉紙収納容器１上に物が載置された場合、当該物がふくらみ部に接触してスイッチ部３４を誤操作してしまう虞があるので、操作面３４ａのふくらみ部を可動側指掛部２５や不動側指掛部３５よりも上側に突出しないように構成することが好ましい。このように構成することで、スイッチ部３４の操作性を向上させつつ、スイッチ部３４の誤操作を抑制することが可能となる。
【００３８】
本実施形態においては、シャーシ３０の枠部３１の一部が、上蓋２０を直線的にスライド移動するようガイドするレール部３１ａになっている。具体的には、例えば、図７に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図８に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部２４ｂの下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００３９】
また、図８に示すように、上蓋２０の垂壁部２４ｂには、牽引部材７０の一端部７１を固定するための第１固定穴２４１と、牽引部材７０の他端部７２を固定するための第２固定穴２４２とが形成されている。
つまり、垂壁部２４ｂには、牽引部材７０の一端部７１と他端部７２とが固定されており、上蓋２０がスライド移動することに伴い、牽引部材７０の一端部７１と他端部７２を移動方向に引いたり追従させたりするようになっている。
なお、垂壁部２４ｂは、シャーシ３０に設けられている第１掛架部３７と第２掛架部３８の間に相当する位置にあって、第１掛架部３７と第２掛架部３８の間を往復可能に配されている。
【００４０】
ここで、例えば、図８に示すように、スライド部２４の左端部（すなわち、上蓋２０の開放状態となる方向側の端部）には、上蓋２０が開放状態となる際の衝撃を吸収するダンパー２４ａが設けられている。
また、例えば、図６に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００４１】
例えば、図４、図５に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００４２】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００４３】
例えば、図４、図５に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図６に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００４４】
ここで、例えば、図４、図５に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００４５】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。
また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
具体的には、突片部２７及びスライド部２４以外の部分にダンパーを設ける場合の一例として、上蓋２０の開放状態において蓋側パッキン２１と接触可能な突出部を、ケース体（容器本体１０やシャーシ３０）側に設けるように構成することが可能である。この場合、弾性体から形成された蓋側パッキン２１がダンパーとして機能する。
さらに、ケース体に設けた突出部に、上蓋２０の開放状態において蓋側パッキン２１が乗り上げる傾斜面を形成すると、上蓋２０が開放状態となる際の衝撃を効果的に緩めることができる。この場合、弾性体から形成された蓋側パッキン２１と、傾斜面を有する突出部と、の双方がダンパーとして機能する。
【００４６】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００４７】
＜家庭用薄葉紙収納容器の製造方法＞
次に、本実施形態の家庭用薄葉紙収納容器の製造方法の一例について、図９を参照して説明する。
まず、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部３６と、容器本体１０の凹部１３の底面部１３ａに嵌合凸部３６に対応させて設けられた嵌合孔部１７と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部３６と、容器本体１０に設けられた嵌合孔部１７と、を嵌合させることによって、アセンブリ体Ａを容器本体１０に固定するよう構成したが、これに限ることはなく、例えば、ねじ等によってアセンブリ体Ａを容器本体１０に固定しても良い。
【００４８】
以上説明した本実施形態の家庭用薄葉紙収納容器１は、上面に取出口１１を有し、内側に家庭用薄葉紙Ｐを収納するケース体（容器本体１０とシャーシ３０）と、ケース体に対してスライド移動することで取出口１１を開閉させる蓋体としての上蓋２０と、ケース体と上蓋２０との間に配され、上蓋２０が閉蓋する際に上蓋２０とは逆方向にスライド移動して、取出口１１の上を横切るスライド部材６０と、を備えている。
本実施形態の家庭用薄葉紙収納容器１によれば、上蓋２０を開放状態時の位置から閉蓋状態時の位置にスライド移動させると、スライド部材６０は取出口１１の上を横切るように上蓋２０とは逆方向にスライド移動するので、このスライド部材６０が取出口１１の上を横切る際、取出口１１よりも上方に突出して引き出されている家庭用薄葉紙Ｐと接触すると、その家庭用薄葉紙Ｐの上端を取出口１１側に引き倒すことができる。
すなわち、上蓋２０を閉蓋する際、上蓋２０と連動してスライド移動するスライド部材６０によって、家庭用薄葉紙Ｐの上端を取出口１１側に引き付けるように倒し込んで、上蓋２０の移動経路から外れるようにずらすことができるので、家庭用薄葉紙Ｐを上蓋２０とケース体（シャーシ３０）の間に噛み込んでしまうことはない
このように、スライド部材６０が家庭用薄葉紙Ｐの上端を引き倒す作用によって、上蓋２０とシャーシ３０の間に家庭用薄葉紙Ｐを噛み込むことなく、上蓋２０を所定の閉蓋状態の位置までスライド移動させることが可能になり、上蓋２０を良好に閉じることができる。
【００４９】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００５０】
１      家庭用薄葉紙収納容器
１０    容器本体（ケース体）
１１    取出口
１３    凹部
１４    ケース側パッキン
２０    上蓋（蓋体）
２１    蓋側パッキン
２２    可動側係合部（可動機構）
２３    爪部（係止手段）
２４    スライド部
２４ｂ  垂壁部
２４１  第１固定穴
２４２  第２固定穴
３０    シャーシ（ケース体）
３３    固定側係合部（可動機構）
３４    スイッチ部
３４ｃ  爪受部（係止手段）
３７    第１掛架部
３８    第２掛架部
５０    付勢部材（可動機構）
６０    スライド部材
７０    牽引部材
７１    一端部
７２    他端部
Ｐ      家庭用薄葉紙
【図１】
2015067314.tif 000003
【図２】
2015067314.tif 000004
【図３】
2015067314.tif 000005
【図４】
2015067314.tif 000006
【図５】
2015067314.tif 000007
【図６】
2015067314.tif 000008
【図７】
2015067314.tif 000009
【図８】
2015067314.tif 000010
【図９】
2015067314.tif 000011